(57)【要約】【課題】パークアンドライドシステムの駐車場の利用者が都心部で買い物をした商品を駐車場で利用者に適正に引き渡すことができる商品引渡システムを提供することである。【解決手段】駐車券発券機１１はパークアンドライドシステムの駐車場に設置され、入庫日時が記録された駐車券を発券する。商品情報書込機１２ａ〜１２ｎは小売店舗に設置され、購入商品を一意に特定する購入商品情報を駐車券１６に記録する。また、倉庫管理サーバ１５は倉庫内に保管されている商品の在庫情報が記憶され、商品識別記号から商品の格納場所や数量を検索する。そして、商品受取端末１３は倉庫管理サーバ１５とネットワーク１４で接続され、駐車券１６から購入商品の商品識別記号を読み込み、商品の在庫情報を倉庫管理サーバ１５に問い合わせ、その在庫情報を表示する。【選択図】  図１
2007219980.tif 000002
【特許請求の範囲】
【請求項１】
郊外や近郊から都心周辺まで自動車で移動して都心周辺の駐車場に駐車し都心と都心周辺の駐車場を結ぶ公共交通システムに乗り換えて都心へ移動するパークアンドライドシステムの前記駐車場に設置され入庫日時が記録された駐車券を発券する駐車券発券機と、小売店舗に設置され購入商品を一意に特定する購入商品情報を前記駐車券に記録する商品情報書込機と、倉庫内に保管されている商品の在庫情報が記憶され商品識別記号から商品の格納場所や数量を検索する倉庫管理サーバと、倉庫管理サーバとネットワークで接続され駐車券から購入商品の商品識別記号を読み込み商品の在庫情報を前記倉庫管理サーバに問い合わせその在庫情報を表示する商品受取端末とを備えたことを特徴とする商品引渡システム。
【請求項２】
郊外や近郊から都心周辺まで自動車で移動して都心周辺の駐車場に駐車し、都心と都心周辺の駐車場を結ぶ公共交通システムに乗り換えて都心へ移動するパークアンドライドシステムの前記駐車場に設置され入庫日時が記録された駐車券を発券する駐車券発券機と、前記駐車券発券機が発行する駐車券に駐車管理ＩＤを記録する発券管理サーバと、倉庫内に保管されている商品の在庫情報が記憶され商品識別記号から商品の格納場所や数量を検索する倉庫管理サーバと、前記倉庫管理サーバにネットワークで接続され前記商品識別記号を基に前記倉庫管理サーバに商品の在庫照会し商品の在庫がある場合には前記駐車管理ＩＤ及び在庫確保要求を前記倉庫管理サーバに送信する小売店舗端末と、前記倉庫管理サーバとネットワークで接続され駐車券から駐車管理ＩＤを読み込みその駐車管理ＩＤに対応する購入商品情報を前記倉庫管理サーバから取り出し表示する商品受取端末とを備えたことを特徴とする商品引渡システム。
【請求項３】
複数の商品引渡所を有し各々の商品引渡所に前記倉庫管理サーバと前記商品受取端末とをぞれぞれ設置し、前記駐車管理ＩＤと商品引渡所の倉庫管理サーバとの対応テーブルを有した商品引渡所サーバを設け、前記小売店舗端末は、商品の在庫照会に先立って前記商品引渡所サーバに当該駐車券の駐車管理ＩＤに対応した倉庫管理サーバを問合せ、商品引渡所サーバは、前記小売店舗端末からの駐車管理ＩＤを含む倉庫管理サーバの照会要求を受けると、駐車管理ＩＤに対応する商品引渡所を対応テーブルから検索し、当該倉庫管理サーバの識別記号を前記小売店舗端末に返信することを特徴とする請求項２記載の商品引渡システム。
【発明の詳細な説明】
【技術分野】
【０００１】
本発明は、パークアンドライドシステムの駐車場の利用者が都心部で買い物をした商品を駐車場で引き渡すための商品引渡システムに関する。
【背景技術】
【０００２】
都心部の郊外や近郊まで車を運転してきた利用者がその郊外や近郊の駐車場に車を駐車し、その郊外や近郊の駅からＬＲＴ（Ｌｉｇｈｔ  Ｒａｉｌ  Ｔｒａｎｓｉｔ）、バス、コミュニティバスなどの公共交通システムを利用して都心に向かう、いわゆるパークアンドライドシステムが採用されている。
【０００３】
このパークアンドライドシステムを採用することにより、都心部への車の乗り入れが少なくなり、交通渋滞が緩和されるとともに排ガス量も削減され環境性も向上するので、その利用拡大が望まれる。
【０００４】
パークアンドライドシステムでは、都心部でのショッピング等で発生した荷物を都心から駐車場まで利用者自身で運搬する必要があり、特に大型の手荷物を運搬する場合や高齢者にとっては負担となっている。このために、都心部まで車で乗り入れる場合も多く、パークアンドライドシステムの促進の妨げとなっている。
【０００５】
ここで、買物商品を駐車場の駐車位置まで運ぶという買物客の負担をなくすことにより買物客へのサービスを向上させると共に、駐車場から出庫時の駐車料金の清算効率を上げることにより駐車場の入出庫の回転を良くするようにしたものがある（例えば、特許文献１参照）。
【０００６】
これは、売り場から駐車場の各駐車位置まで買物商品を搬送する搬送装置を備え、ホストコンピュータにより、駐車カード発行装置、駐車場カードリーダ、ＰＯＳ端末装置、店内カードリーダからの情報に基づき駐車料金を算出して表示装置に表示すると共に、搬送装置を制御して買物商品を該当駐車位置まで搬送するものである。
【特許文献１】特開平６−２５９６９９号公報
【発明の開示】
【発明が解決しようとする課題】
【０００７】
しかし、特許文献１のものはパークアンドライドシステムの駐車場ではなく、売り場の近在の駐車場（売り場と同じ建家）に商品を搬送するものであり、駐車場が遠方であるパークアンドライドシステムにはそのまま適用できない。パークアンドライドシステムでは、都心部でのショッピング等で発生した荷物を都心から駐車場まで利用者自身で運搬する必要があり、特に大型の手荷物を運搬する場合や高齢者にとっては負担となっている。このために、都心部まで車で乗り入れる場合も多く、パークアンドライドシステムの促進の妨げとなっている。
【０００８】
本発明の目的は、パークアンドライドシステムの駐車場の利用者が都心部で買い物をした商品を駐車場で利用者に適正に引き渡すことができる商品引渡システムを提供することである。
【課題を解決するための手段】
【０００９】
本発明の商品引渡システムは、郊外や近郊から都心周辺まで自動車で移動して都心周辺の駐車場に駐車し都心と都心周辺の駐車場を結ぶ公共交通システムに乗り換えて都心へ移動するパークアンドライドシステムの前記駐車場に設置され入庫日時が記録された駐車券を発券する駐車券発券機と、小売店舗に設置され購入商品を一意に特定する購入商品情報を前記駐車券に記録する商品情報書込機と、倉庫内に保管されている商品の在庫情報が記憶され商品識別記号から商品の格納場所や数量を検索する倉庫管理サーバと、倉庫管理サーバとネットワークで接続され駐車券から購入商品の商品識別記号を読み込み商品の在庫情報を前記倉庫管理サーバに問い合わせその在庫情報を表示する商品受取端末とを備えたことを特徴とする。
【発明の効果】
【００１０】
本発明によれば、パークアンドライドシステムの駐車場の利用者が都心部で買い物をした商品を駐車場で利用者に適正に引き渡すことができる。
【発明を実施するための最良の形態】
【００１１】
（第１の実施の形態）
図１は本発明の第１の実施の形態に係わる商品引渡システムの構成図である。商品引渡システムは、パークアンドライドシステムの駐車場（以下Ｐ＆Ｒ駐車場という）に設置されたスタンドアロンの駐車券発券機１１と、各々の小売店舗にスタンドアロンで設置された商品情報書込機１２ａ〜１２ｎと、Ｐ＆Ｒ駐車場に併設された商品受取所の商品受取端末１３と、商品受取端末１３とネットワーク１４で接続された倉庫管理サーバ１５とからなる。
【００１２】
駐車券発券機１１はＰ＆Ｒ駐車場に設置され、入庫日時が記録された磁気記録可能な駐車券１６を発券する。商品情報書込機１２ａ〜１２ｎは各々の小売店舗に設置され、利用者の購入商品を一意に特定する商品識別記号および数量等の購入商品情報を駐車券１６に磁気情報で追加記録する。
【００１３】
倉庫管理サーバ１５は商品の格納場所を記憶した格納場所ＤＢ１７を有し、この格納場所ＤＢ１７により倉庫内に保管されている商品の在庫情報を管理し、商品受取端末１３からの商品の格納場所の問い合わせに応じて、商品識別記号から商品の格納場所や数量を検索する。
【００１４】
商品受取端末１３は駐車券１６の磁気情報を読み取る読取装置と商品情報や商品の格納場所を表示するための表示装置を有する。また、商品受取端末１３は倉庫管理サーバ１５とネットワーク１４で接続され、駐車券１６から購入商品の商品識別記号を読取装置で読み込み、倉庫管理サーバ１５に商品の格納場所の問い合わせを行い、その在庫情報及び格納場所を取得して表示装置に表示する。商品引渡所の係員は表示装置に表示された情報に基づき商品を用意し利用者に引き渡す。
【００１５】
次に、本発明の第１の実施の形態に係わる商品引渡システムの処理の流れを説明する。図２は本発明の第１の実施の形態に係わる商品引渡システムの処理の流れ図である。利用者１８は、自宅から車で移動しＰ＆Ｒ駐車場の入庫時に、Ｐ＆Ｒ駐車場運営者１９が運営する駐車場発券機１１から駐車券１６を受け取る。駐車場発券機１１は駐車券１６に入庫日時を印字し、さらに入庫日時を磁気記録する。
【００１６】
利用者１８はＰ＆Ｒ駐車場に駐車した後、ＬＲＴ等で都心部へ移動し、小売業者２０が営業する小売店舗で商品を購入する。そして、小売業者２０に商品代金を支払う。利用者はＰ＆Ｒ駐車場での商品受け取りを希望する場合、その旨を店員に伝え駐車券１６を提示する。小売業者２０の店員は商品情報書込機１２で駐車券に購入商品情報（商品番号、数量）を記録する。
【００１７】
そして、ショッピングを終え帰宅する利用者１８は都心からＬＲＴ等でＰ＆Ｒ駐車場まで移動し、Ｐ＆Ｒ駐車場の商品保管／引渡業者２１の商品受取所にて駐車券１６を提示する。商品保管／引渡業者２１の係員は、商品受取所に設置された商品受取端末１３に駐車券１６をかけ商品の格納場所を調べる。商品受取端末１３は購入商品情報を読み込み、その情報を基に商品保管／引渡業者２１の倉庫管理サーバ１５に格納場所を問合せ、その問い合わせ結果を表示装置上に表示する。
【００１８】
商品保管／引渡業者２１の係員はこの表示装置に表示された情報を基に倉庫から商品を集め利用者１８に引き渡す。利用者１８は購入商品を受け取り、駐車場料金を精算してＰ＆Ｒ駐車場を出庫し車で帰宅する。
【００１９】
次に、本発明の第１の実施の形態における駐車券１６の磁気記録のフォーマットを説明する。図３は第１の実施の形態における駐車券１６の磁気記録の一例を示すフォーマット図である。日時の日付を６桁、時刻を４桁で記録し、商品情報として１０桁の商品番号と２桁の数量（９９個までの数量）を有する。図３では５組の商品情報を有した場合を示しており、この場合は全データ長は７０桁となる。
【００２０】
例えば、入庫日時が２００５年１月３１日１２時３５分の場合は、日付を「０５０１３１」と記録し、時刻は「１２３５」と記録する。駐車券１６の発行時点では商品番号および数量の欄には何も記録しない。ここでは、駐車券１６の初期状態として記録なしの状態を全て０と記録しておくとする。そうすると、記録された情報は図４に示すようになる。
【００２１】
そして、利用者が都心部へ移動し買い物をしたとすると、商品購入時に、小売店舗に設置された商品情報書込機１２にて、Ｐ＆Ｒ駐車場での受け取りを希望する商品の情報を書き込むことになる。例えば、東芝製ノートパソコン（商品番号を１４８００３１００とする）を３台購入し、Ｐ＆Ｒ駐車場での受け取りを希望したとする。この場合は、駐車券１６の最初の商品番号欄に「１４８００３１００」と記録し、数量欄に「０３」と記録する。記録された情報は図５に示すようになる。
【００２２】
さらに、東芝製ＨＤＤ＆ＤＶＤレコーダ(商品番号を１０４８００１０７１とする)を１台購入した場合は、図６に示すように、２番目の商品番号欄に「１０４８００１０７１」と記録し２番目の数量欄に「０１」と記録する。
【００２３】
次に、商品受取端末１３における購入商品情報の読込みは次のように行う。駐車券１６のフォーマットに従って、まず最初の商品番号欄（先頭から１１〜２０桁目）と数量欄（先頭から２１，２２桁目）を読み込む。最初の商品番号欄（先頭から１１〜２０桁目）は、商品番号が「１４８００３１００」、数量が「０３」である。以下、順次、商品番号欄と数量欄を読み込む。商品番号欄が記録なし（この例ではすべて０）となるか、全データ（この例では５組分）を読み取ると商品情報の読取は終了する。読み取った商品情報の商品番号をキーとして倉庫管理サーバ１５に格納場所を問い合わせる。
【００２４】
倉庫管理サーバ１５は商品受取端末１３からの問い合わせがあると、商品番号をキーとして倉庫管理サーバ１３の格納場所ＤＢ１７を検索し格納場所を抽出する。格納場所ＤＢ１７の一例を図７に示す。
【００２５】
商品番号「１０４８００１０７１」の商品の場合、倉庫管理サーバ１３は商品番号が「１０４８００１０７１」のレコードを検索する。その結果、図７では（１）のレコードがヒットする。また、商品番号「１４８００３１００」の商品の場合は、図７では（２）のレコードがヒットする。
【００２６】
倉庫管理サーバ１３はこのレコードの在庫数量および格納場所情報（区画、棚番号、棚方向、段）を商品受取端末１３に返信する。商品受取端末１３は返信データを表示装置の画面上に表示する。この表示から、商品番号「１０４８００１０７１」の商品は、Ｃ２区画の棚番号１８Ａの棚の北側の棚の１段目に１０個の在庫があることがわかる。商品番号「１４８００３１００」の商品は、Ｃ２区画の棚番号１６Ｅの棚の南側の棚の２段目に１０個の在庫があることがわかる。全ての商品番号について同様に検索し、すべての購入商品の格納場所を商品受取端末１３の表示装置に表示する。商品保管／引渡業者の係員はこの情報を基に倉庫から商品を集め利用者に引き渡すことになる。
【００２７】
第１の実施の形態によれば、Ｐ＆Ｒ駐車場に商品受取所を併設し、利用者１８は都心部で購入した商品をＰ＆Ｒ駐車場に併設された商品受取所で受け取るので、都心部の小売店舗から離れたＰ＆Ｒ駐車場まで購入商品を運搬する負担を大幅に軽減できパークアンドライドの促進に貢献する。また、小売店舗としては、地価の高い都心部に倉庫スペースを確保せずに済むことで倉庫費を抑制できる。
【００２８】
（第２の実施の形態）
図８は本発明の第２の実施の形態に係わる商品引渡システムの構成図である。この第２の実施の形態は、図１に示した第１の実施の形態に対し、駐車券発券機１１が発行する駐車券１６に駐車管理ＩＤを記録する発券管理サーバ２２を設けるとともに、商品情報書込機１２に代えて、ネットワーク１４に接続され各々の小売店舗に設置される小売店舗端末２３ａ〜２３ｎを設けたものである。図１と同一要素には同一符号を付し重複する説明は省略する。
【００２９】
第２の実施の形態に係わる商品引渡システムは、Ｐ＆Ｒ駐車場に設置されたスタンドアロンの駐車券発券機１１と、駐車券発券機１１が発行する駐車券１６に駐車管理ＩＤを記録する発券管理サーバ２２と、ネットワーク１４に接続され各々の小売店舗に設置された小売店舗端末２３ａ〜２３ｎと、ネットワーク１４に接続されＰ＆Ｒ駐車場に併設された商品受取所の商品受取端末１３と、ネットワーク１４に接続され商品の格納場所を記憶する格納場所ＤＢを備えた倉庫管理サーバ１５とからなる。
【００３０】
駐車券発券機１１はパークアンドライドシステムの駐車場に設置され、入庫日時が記録された磁気記録可能な駐車券１６を発券する。発券管理サーバ２２は駐車管理ＩＤを格納した駐車管理ＤＢ２４を有し、駐車券発券機１１が発行する駐車券１６に駐車管理ＩＤを追加記録する。倉庫管理サーバ１５は倉庫内に商品の在庫情報が記憶された格納場所ＤＢを有し、商品識別記号から商品の格納場所や数量を検索する。
【００３１】
小売店舗端末２３ａ〜２３ｎはネットワーク１４に接続され、駐車券発券機１１で発券された駐車券１６の磁気情報を読み取る読取装置と在庫情報を表示するための表示装置とを有する。そして、小売店舗端末２３ａ〜２３ｎは駐車券１６から商品識別記号を読取装置で読み取り、その商品識別記号を基に倉庫管理サーバ１５に商品の在庫照会して表示装置に表示するとともに、商品の在庫がある場合には駐車管理ＩＤ及び在庫確保要求を倉庫管理サーバ１５に送信する。
【００３２】
商品受取端末１３は小売店舗端末２３ａ〜２３ｎと同様にネットワーク１４に接続され、駐車券１６の磁気情報を読み取る読取装置と商品情報や商品の格納場所を表示するための表示装置を有する。そして、商品受取端末１３は駐車券１６から駐車管理ＩＤを読取装置で読み取り、その駐車管理ＩＤに対応する購入商品の商品情報や商品の格納場所を倉庫管理サーバ１５から取り出し表示装置に表示する。
【００３３】
次に、本発明の第２の実施の形態に係わる商品引渡システムの処理の流れを説明する。図９は本発明の第２の実施の形態に係わる商品引渡システムの処理の流れ図である。利用者１８は、自宅から車で移動しＰ＆Ｒ駐車場に入庫時に、Ｐ＆Ｒ駐車場運営者１９が運営する駐車場発券機１１から駐車券１６を受け取る。駐車場発券機１１は駐車券１６に入庫日時を印字し、さらに入庫日時を磁気記録するとともに、発券管理サーバ２２からの駐車場管理ＩＤを磁気記録する。
【００３４】
利用者１８はＰ＆Ｒ駐車場に駐車した後、ＬＲＴ等で都心部へ移動し、小売業者２０が営業する小売店舗で商品を購入する。そして、小売業者２０に商品代金を支払う。利用者１８はＰ＆Ｒ駐車場での商品受け取りを希望する場合、その旨を店員に伝え駐車券１６を提示する。
【００３５】
小売業者２０の店員は小売店舗端末２３で駐車券１６から駐車管理ＩＤを読み取り、商品保管／引渡業者２１の倉庫管理サーバ１５に在庫を問い合わせる。在庫がある場合には、駐車管理ＩＤと購入商品情報（商品番号、数量）とを記録して商品保管／引渡業者２１の倉庫管理サーバ１５に対し在庫を確保する。
【００３６】
そして、ショッピングを終え帰宅する利用者１８は都心からＬＲＴ等でＰ＆Ｒ駐車場まで移動し、Ｐ＆Ｒ駐車場の商品保管／引渡業者２１の商品受取所にて駐車券１６を提示する。商品保管／引渡業者２１の係員は、商品受取所に設置された商品受取端末１３に駐車券１６をかけ駐車管理ＩＤに対応する商品の格納場所を倉庫管理サーバ１５に問い合わせる。その問い合わせ結果は表示装置上に表示される。商品保管／引渡業者２１の係員はこの表示装置に表示された情報を基に倉庫から商品を集め利用者１８に引き渡す。利用者１８は購入商品を受け取り、駐車場料金を精算してＰ＆Ｒ駐車場を出庫し車で帰宅する。
【００３７】
次に、本発明の第２の実施の形態における駐車券１６の磁気記録のフォーマットを説明する。図１０は第２の実施の形態における駐車券１６の磁気記録の一例を示すフォーマット図である。磁気記録のフォーマットの１例を以下に示した。日付を６桁、時刻を４桁で記録し、１０桁の駐車管理ＩＤを記録する。全データ長は２０桁である。
【００３８】
駐車管理ＩＤには駐車場１６の利用を一意に決めるためのユニークなＩＤが記録される。例えば駐車券１６を発券するごとに番号を１ずつ増やすこととする。２００５年１月３１日の駐車場利用で駐車管理ＩＤが「００００１２００３４」だったとすると駐車券１６に記録された情報は図１１に示すようになる。
【００３９】
次に、小売業者２０の店員が店舗に設置された小売店舗端末２３にて、倉庫管理サーバ１５に駐車管理ＩＤや購入商品を登録する場合について説明する。前述したように、小売店舗端末２３と倉庫管理サーバ１５とはネットワーク１４で接続されており、既存の通信プロトコル（例えばＴＣＰ／ＩＰ）を用いて通信可能となっている。小売業者２０の店員は小売店舗端末２３に購入商品の情報（商品番号および数量）を入力する。この場合、ＰＯＳ（point of sale）と連動させて入力するようにしてもよい。
【００４０】
小売店舗端末２３に購入商品の情報（商品番号および数量）を入力すると、小売店舗端末２３のメモリ上には図１２に示すような商品番号と数量とを対にしたデータが格納される。図１２では、第１の実施の形態と同様に、商品番号「１０４８００１０７１」の商品を１個、商品番号「１０４８００３１００」の３個の商品を購入した場合を示している。
【００４１】
これらの情報を基に小売店舗端末２３は、倉庫管理サーバ１５に在庫照会するための在庫照会要求を送信する。小売店舗端末２３から倉庫管理サーバ１５への在庫照会のフォーマットの一例を図１３に示す。
【００４２】
店番号／照会番号には小売店舗を一意に識別するためのユニークな１０桁のＩＤ番号を入れる。組数には後に続く商品番号と数量が何組あるかを示す。問合せデータの全長は、組数をｎとすると１０＋１２＊ｎとなる。このようなデータを既存の通信プロトコル（例えばＴＣＰ／ＩＰ）に従って送信する。
【００４３】
倉庫管理サーバ１５は小売店舗端末２３からの在庫照会を受けると、倉庫管理サーバ１５の格納場所ＤＢ１７を検索し、在庫情報（商品番号と在庫数量）を小売店舗端末２３に返信する。小売店舗端末２３では店員が在庫情報を確認し、在庫がある場合は、小売店舗端末２３から倉庫管理サーバ１５へ在庫確保要求を駐車管理ＩＤとともに送信する。在庫確保要求を受信した倉庫管理サーバ１５は格納場所ＤＢ１７に当該商品の在庫確保数と在庫とを確保した駐車管理ＩＤを登録する。
【００４４】
そして、商品保管／引渡業者２１の係員は商品受取端末１３に駐車券１６をかけ、駐車券１６から駐車管理ＩＤを読取装置で読み取り、その駐車管理ＩＤに対応する購入商品の商品情報や商品の格納場所を倉庫管理サーバ１５から取り出し表示装置に表示する。商品保管／引渡業者２１の係員はこの表示装置に表示された情報を基に倉庫から商品を集め利用者１８に引き渡す。利用者１８は購入商品を受け取り、駐車場料金を精算してＰ＆Ｒ駐車場を出庫し車で帰宅する。
【００４５】
第２の実施の形態によれば、第１の実施の形態の効果に加え、小売店舗側で商品引渡所に対する在庫問合せ実施するので、商品引渡所で商品が受け取れないという事態を防止できる。
【００４６】
（第３の実施の形態）
図１４は本発明の第３の実施の形態に係わる商品引渡システムの構成図である。この第３の実施の形態は、図８に示した第２の実施の形態に対し、複数の商品引渡所２４ａ〜２４ｍを有し、各々の商品引渡所２４ａ〜２４ｍに倉庫管理サーバ１５ａ〜１５ｍと商品受取端末１３ａ〜１３ｍとをぞれぞれ設置し、駐車管理ＩＤと商品引渡所２４ａ〜２４ｍの倉庫管理サーバ１５ａ〜１５ｍとの対応テーブルを有した商品引渡所サーバ２５を設けたものである。駐車管理ＩＤと商品引渡所２４ａ〜２４ｍの倉庫管理サーバ１５ａ〜１５ｍとの対応テーブルは、商品引渡所ＤＢ２６に格納されている。図８と同一要素には同一符号を付し重複する説明は省略する。
【００４７】
図１４において、小売店舗端末２３ａ〜２３ｎは、商品の在庫照会に先立って商品引渡所サーバ２５に当該駐車券１６の駐車管理ＩＤに対応した倉庫管理サーバ１５ａ〜１５ｍを問合せ、商品引渡所サーバ２５は、小売店舗端末２３ａ〜２３ｎからの駐車管理ＩＤを含む倉庫管理サーバ１５ａ〜１５ｍの照会要求を受けると、駐車管理ＩＤに対応する商品引渡所２４ａ〜２４ｍを商品引渡所ＤＢ２６の対応テーブルから検索し、当該倉庫管理サーバ１５ａ〜１５ｍの識別記号を小売店舗端末２３ａ〜２３ｎに返信する。
【００４８】
図１５は本発明の第３の実施の形態に係わる商品引渡システムの処理の流れ図である。図１５において、商品引渡所サーバ２５は倉庫照会センタ２７に設置される。倉庫照会センタ２７は小売業者２０の小売店舗端末２３ａ〜２３ｎからの倉庫管理サーバ照会要求に対して、商品引渡所サーバ２５により、駐車管理ＩＤに対応した倉庫管理サーバ１５ａ〜１５ｍを特定する。
【００４９】
まず、倉庫照会センタ２７の商品引渡所サーバ２５は、小売店舗端末２３ａ〜２３ｎから倉庫管理サーバ照会要求（駐車管理ＩＤ）を受け取ると、駐車管理ＩＤに対応するＰ＆Ｒ駐車場を選択するとともに、駐車管理ＩＤと倉庫管理サーバ１５ａ〜１５ｍを対応付ける商品引渡所ＤＢ２６を駐車管理ＩＤをキーとして検索し、その利用者が駐車したＰ＆Ｒ駐車場に併設された商品保管／引渡業者２１の倉庫管理サーバ１５ａ〜１５ｍを特定する。そして、商品引渡所サーバ２５は、特定した倉庫管理サーバ１５ａ〜１５ｍの情報｛サーバ名やサーバのアドレス（例えばＴＣＰ／ＩＰで通信する場合はIPアドレス）｝を小売店舗端末２３ａ〜２３ｎに返信する。
【００５０】
倉庫管理サーバ１５ａ〜１５ｍの情報を受け取った小売店舗端末２３ａ〜２３ｎはその倉庫管理サーバ１５ａ〜１５ｍに対して第２の実施の形態と同様に、在庫照会や在庫確保を行う。すなわち、小売業者２０の店員は小売店舗端末２３で駐車券１６から駐車管理ＩＤを読み取り、商品保管／引渡業者２１の倉庫管理サーバ１５に在庫を問い合わせる。在庫がある場合には、駐車管理ＩＤと購入商品情報（商品番号、数量）とを記録して商品保管／引渡業者２１の倉庫管理サーバ１５に対し在庫を確保する。
【００５１】
そして、ショッピングを終え帰宅する利用者１８は都心からＬＲＴ等でＰ＆Ｒ駐車場まで移動し、Ｐ＆Ｒ駐車場の商品保管／引渡業者２１の商品受取所にて駐車券１６を提示する。商品保管／引渡業者２１の係員は、商品受取所に設置された商品受取端末１３に駐車券１６をかけ駐車管理ＩＤに対応する商品の格納場所を倉庫管理サーバ１５に問い合わせる。その問い合わせ結果は表示装置上に表示される。商品保管／引渡業者２１の係員はこの表示装置に表示された情報を基に倉庫から商品を集め利用者１８に引き渡す。利用者１８は購入商品を受け取り、駐車場料金を精算してＰ＆Ｒ駐車場を出庫し車で帰宅する。
【００５２】
第３の実施の形態によれば、第２の実施の形態の効果に加え、商品引渡所サーバ２５により、小売店舗端末２３ａ側で接続すべきＰ＆Ｒ駐車場の倉庫管理サーバ１５ａ〜１５ｍを特定できるので、複数のＰ＆Ｒ駐車場がある場合でも駐車券１６から読み取った情報から自動的に適切なＰ＆Ｒ駐車場に併設された商品引渡所２４ａ〜２４ｍに問合せができる。また、Ｐ＆Ｒ駐車場に関する情報の新規の登録やデータの変更等は、商品引渡所サーバ２５の商品引渡所ＤＢ２６のみ更新すればよいので保守性が高い。
【図面の簡単な説明】
【００５３】
【図１】本発明の第１の実施の形態に係わる商品引渡システムの構成図。
【図２】本発明の第１の実施の形態に係わる商品引渡システムの処理の流れ図。
【図３】本発明の第１の実施の形態における駐車券の磁気記録の一例を示すフォーマット図。
【図４】本発明の第１の実施の形態における駐車券の入庫日時が記録された状態のデータ配置図。
【図５】本発明の第１の実施の形態における駐車券の入庫日時及び一つの商品番号と個数が記録された状態のデータ配置図。
【図６】本発明の第１の実施の形態における駐車券の入庫日時及び二つの商品番号と個数が記録された状態のデータ配置図。
【図７】本発明の第１の実施の形態における倉庫管理サーバの格納場所ＤＢの一例を示す説明図。
【図８】本発明の第２の実施の形態に係わる商品引渡システムの構成図。
【図９】本発明の第２の実施の形態に係わる商品引渡システムの処理の流れ図。
【図１０】本発明の第２の実施の形態における駐車券の磁気記録の一例を示すフォーマット図。
【図１１】本発明の第２の実施の形態における駐車券の入庫日時及び駐車管理ＩＤが記録された状態のデータ配置図。
【図１２】本発明の第２の実施の形態における小売店舗端末のメモリ上に記録された商品番号と数量のデータ配列説明図。
【図１３】本発明の第２の実施の形態における小売店舗端末から倉庫管理サーバへの在庫照会の一例を示すフォーマット図。
【図１４】本発明の第３の実施の形態に係わる商品引渡システムの構成図。
【図１５】本発明の第３の実施の形態に係わる商品引渡システムの処理の流れ図。
【符号の説明】
【００５４】
１１…駐車券発券機、１２…商品情報書込機、１３…商品受取端末、１４…ネットワーク、１５…倉庫管理サーバ、１６…駐車券、１７…格納場所ＤＢ、１８…利用者、１９…Ｐ＆Ｒ駐車場運営者、２０…小売業者、２１…商品保管／引渡業者、２２…発券管理サーバ、２３…小売店舗端末、２４…駐車管理ＤＢ、２５…商品引渡所サーバ、２６…商品引渡所ＤＢ、２７…倉庫照会センタ
【図１】
2007219980.tif 000003
【図２】
2007219980.tif 000004
【図３】
2007219980.tif 000005
【図４】
2007219980.tif 000006
【図５】
2007219980.tif 000007
【図６】
2007219980.tif 000008
【図７】
2007219980.tif 000009
【図８】
2007219980.tif 000010
【図９】
2007219980.tif 000011
【図１０】
2007219980.tif 000012
【図１１】
2007219980.tif 000013
【図１２】
2007219980.tif 000014
【図１３】
2007219980.tif 000015
【図１４】
2007219980.tif 000016
【図１５】
2007219980.tif 000017